(57)【要約】【課題】机上に設置される照明装置の小型化を図るとともに、天板面が十分な明るさで照明される机を提供する。【解決手段】本発明の机は、天板に立設されるパネルと、このパネルの上端部に沿って配設される照明装置とを有する。照明装置は、光の出射方向が同じ方向となるように複数のＬＥＤ素子が基板上に並列して実装された線状光源と、上面の開口部から内部に線状光源が収容される基台と、線状光源からの出射光の光路上に配設される反射板とを備える。反射板は、第１の反射面と第２の反射面とを備える。第１及び第２の反射面は、線状光源における中心軸線の上方位置で会合し、かつ、会合部分から離れるにしたがってＬＥＤ素子の出射面を含む平面との間の距離が大きくなるように構成される。ＬＥＤ素子から出射された光のうち、第１の反射面で反射した光でパネルを挟んだ一方側の領域を照明し、第２の反射面で反射した光でパネルを挟んだ他方側の領域を照明する。【選択図】        図１
2010187712.tif 000002
【特許請求の範囲】
【請求項１】
天板に立設されるパネルと、このパネルの上端部に沿って配設される照明装置とを有する机であって、
前記照明装置は、
光の出射方向が同じ方向となるように複数のＬＥＤ素子が基板上に並列して実装された線状光源と、上面が開口し、この開口から内部に前記線状光源が収容される基台と、前記前記線状光源からの出射光の光路上に配設される反射板とを備え、
前記反射板は、第１の反射面と第２の反射面とを備え、
前記第１の反射面及び第２の反射面は、前記線状光源における中心軸線の上方位置で会合し、かつ、前記会合部分から離れるにしたがって前記ＬＥＤ素子の出射面を含む平面との間の距離が大きくなるように構成され、
前記ＬＥＤ素子から出射された光のうち、前記第１の反射面で反射した光で、前記パネルを挟んだ一方側の領域を照明する一方、前記第２の反射面で反射した光で、前記パネルを挟んだ他方側の領域を照明することを特徴とする机。
【請求項２】
前記パネルを、前記天板を区分する態様で前記天板上に配置したことを特徴とする請求項１に記載の机。
【請求項３】
前記照明装置における前記第１の反射面及び前記第２の反射面は、
その長手方向と直交する断面形状が略Ｖ字状を成すことを特徴とする請求項１又は２に記載の机。
【請求項４】
前記照明装置における前記第１の反射面及び前記第２の反射面に微細な凹凸を形成したことを特徴とする請求項１から３のいずれか一つに記載の机。
【請求項５】
前記照明装置における前記反射板は、前記基台上に立設された支柱によって支持されており、前記支柱における前記反射板の支持面は、前記第１の反射板と第２の反射板との会合部分と合致する形状に形成されていることを特徴とする請求項１から４のいずれか一つに記載の机。
【発明の詳細な説明】
【技術分野】
【０００１】
本発明は、机上に照明装置を備えた机に関するものであり、より詳細には、光源から出射される光を反射体で反射させ、その反射光で机の天板面を照明する照明装置を備えた机に関するものである。
【背景技術】
【０００２】
この種の照明装置を備えた机（テーブルを含む）の一例として、特許文献１に示されるような机が知られている（特許文献１の図７〜図１１を参照）。この机は、対向する２辺をそれぞれ使用端として、使用者が対面した状態で使用されるタイプの机であり、天板上の中央部分に立設されたパネルによって天板が２つの領域に仕切られている。このパネルの上端面に沿って照明装置が取付けられている。
【０００３】
照明装置は、パネルの上端面に設置される長尺状の基台（横架材）と、この基台の上面に配置される棒状の蛍光管と、蛍光管の側方全域に亘って配置されるカバー体と、蛍光管の上方に配置される反射板とから構成されている。ここで、カバー体は、蛍光管から出射される光が、直接、机を使用する使用者の目に入るのを防ぐためのものである。
【０００４】
光源である蛍光管を点灯させると、蛍光管から出射された光は上方に向けて出射する。そして、蛍光管の上方に位置する反射板で反射した光によって、パネルで仕切られた両側の天板面が間接的に照明される。
【０００５】
【特許文献１】特許第３５０６０６０号公報
【発明の開示】
【発明が解決しようとする課題】
【０００６】
特許文献１の机に設置される照明装置は、光源である蛍光管の側方にカバー体を配置する構造上、照明装置全体のサイズが大きくなる。そのため、照明装置の取付け箇所が限定されるとともに、美観的な観点からも改善の余地がある。
【０００７】
また、上記照明装置は、机上に設置されたタスクライトと併用されるものであり、上記照明装置を単独で用いた場合には、机の天板面の全域に亘ってまんべんなく照明することができず、使用者が天板上で作業を行う際に必要な明るさを確保することができないという問題がある。
【０００８】
本発明は、上記実情に鑑みて、机上に設置される照明装置を小型化するとともに、天板面が十分な明るさで照明される机を提供することを目的とする。
【課題を解決するための手段】
【０００９】
上記の目的を達成するために、本発明の請求項１に係る机は、天板に立設されるパネルと、このパネルの上端部に沿って配設される照明装置とを有する机であって、前記照明装置は、光の出射方向が同じ方向となるように複数のＬＥＤ素子が基板上に並列して実装された線状光源と、上面が開口し、この開口から内部に前記線状光源が収容される基台と、前記前記線状光源からの出射光の光路上に配設される反射板とを備え、前記反射板は、第１の反射面と第２の反射面とを備え、前記第１の反射面及び第２の反射面は、前記線状光源における中心軸線の上方位置で会合し、かつ、前記会合部分から離れるにしたがって前記ＬＥＤ素子の出射面を含む平面との間の距離が大きくなるように構成され、前記ＬＥＤ素子から出射された光のうち、前記第１の反射面で反射した光で、前記パネルを挟んだ一方側の領域を照明する一方、前記第２の反射面で反射した光で、前記パネルを挟んだ他方側の領域を照明することを特徴とする。
【００１０】
また、本発明の請求項２に係る机は、上記請求項１において、前記パネルを、前記天板を区分する態様で前記天板上に配置したことを特徴とする。
【００１１】
また、本発明の請求項３に係る机は、上記請求項１又は２において、前記照明装置における前記第１の反射面及び前記第２の反射面は、その長手方向と直交する断面形状が略Ｖ字状を成すことを特徴とする。
【００１２】
また、本発明の請求項４に係る机は、上記請求項１から３のいずれか一つにおいて、前記照明装置における前記第１の反射面及び前記第２の反射面に微細な凹凸を形成したことを特徴とする。
【００１３】
また、本発明の請求項５に係る机は、上記請求項１から４のいずれか一つにおいて、前記照明装置における前記反射板が前記基台上に立設された支柱によって支持されており、前記支柱における前記反射板の支持面が、前記第１の反射板と第２の反射板との会合部分と合致する形状に形成されていることを特徴とする。
【発明の効果】
【００１４】
本発明の机によれば、机に設置される照明装置の光源としてＬＥＤ素子からなる線状光源を用いたことで、従来のように光源として蛍光管を用いる場合と比べて照明装置を小型化することができるとともに、照明装置を様々な形状で構成することができる。その結果、机上に照明装置を設置する際の自由度を高めることができる。また、照明装置が小型化することで、照明装置が取付けられるパネル及び机の美観が損なわれるといったことがない。さらに、この照明装置は、線状光源からの出射光の光路上に配設された第１の反射面及び第２の反射面を備え、この第１の反射面及び第２の反射面は、線状光源における中心軸線の上方位置で会合し、かつ、会合部分から離れるにしたがってＬＥＤ素子の出射面を含む平面との間の距離が大きくなるように構成されている。上記のように構成することで、パネルで仕切られた両側の天板面を十分な明るさで照明することができる。
【発明を実施するための最良の形態】
【００１５】
以下に添付図面を参照して、本発明に係る机の好適な実施の形態を詳細に説明する。
【００１６】
（実施の形態１）
図１は、実施の形態１に係る机７０の概略斜視図である。図１で例示される机７０は、矩形状の天板７１と、この天板７１を支持する一対の脚部７２，７３と、引出し７５とを備えた片袖机である。以下では、使用者が座る椅子８０が配置される側（使用者側）を机７０の「前側」とし、反対側（使用者と対向する側）を机７０の「後側」として説明する。また、使用者側から見て左側を机７０の「左側」、使用者側から見て右側を机７０の「右側」として説明する。
【００１７】
この机７０には照明パネル６０が設けられている。照明パネル６０は、その上端部に照明装置１０が設けられたパネル部材であり、天板７１の後縁部に、天板７１に対して垂直に立設されている。天板７１の後縁部に照明パネル６０を取付ける手段は特に限定されないが、図１に示す例では、ボルト等の図示しない固定手段によって、照明パネル６０の下端部が天板７１の後側面部７６（図７を参照）に取付けられている。
【００１８】
以下、図１に示される照明パネル６０について詳しく説明する。図２は、照明パネル６０の概略を示した分解斜視図ある。なお、図２では、パネル部１１の下方部分を省略している。また、図３は、図２に示した照明パネル６０の上端部に取付けられた照明装置１０の上面図、図４は、図２に示した照明パネル６０の上部部分を正面から見た図、図５は、図４のＡ−Ａ線断面図、図６は、図４の矢視Ｂ図である。なお、図６では反射板５０を省略している。
【００１９】
照明パネル６０は、図２に示すように、照明装置１０とパネル部１１とから構成されている。照明装置１０は、机７０の天板面Ｓを照明するものであり、ＬＥＤ光源ユニット（線状光源）２０と、このＬＥＤ光源ユニット２０が収容される基台３０と、基台３０の上面に立設された一対の支柱４０と、一対の支柱４０に支持される反射板５０とから構成されている。
【００２０】
ＬＥＤ光源ユニット２０は、長尺状の基板２１上に、複数のＬＥＤ素子（表面実装型発光ダイオード）２２が等間隔に直線状に実装された線状光源である。ＬＥＤ素子２２としては、発光色が白色のチップ型ＬＥＤが用いられる。基板２１はアルミ製の平板である。本実施の形態では、ＬＥＤ光源ユニット２０として、幅約１０ｍｍ、長さ約７４０ｍｍ、厚さ約２ｍｍの大きさの基板２１上にＬＥＤ素子２２を２０個配置したものを適用している。
【００２１】
ＬＥＤ素子２２は、蛍光灯や白熱灯と比べて指向性の高い光源であるが、光の出射角度（出射範囲）が１５°の狭角タイプから１２０°の広角タイプまで様々な種類のものが知られている。本実施の形態では、出射角度が１２０°のＬＥＤ素子２２を、２２ｍｍの間隔で、かつ、光の出射方向が同じ方向となるように配置している。これにより、照度が均一な線状の照明が得られる。
【００２２】
基板２１上に実装された複数のＬＥＤ素子２２は、配線２３を通して、商用電源からの交流電圧１００Ｖを直流電圧２４Ｖに変換する交流・直流変換器（ＡＣ／ＤＣコンバータ）に接続されている。また、交流・直流変換器は、配線を介して図示しない電源スイッチに接続されている。
【００２３】
基台３０は、上述したＬＥＤ光源ユニット２０を収容する長尺状の部材である。この基台３０は、アルミニウム又はアルミニウム合金を押出し成形することによって形成されたものであり、図５に示すように、上面部３１、側面部３２ａ，３２ｂ及び下面部３３とを備えて構成されている。基台３０の上面部３１には、基台３０の長手方向に沿って延在する開口部３４が形成され、この開口部３４の内部に、側面部３２ａ，３２ｂで囲まれた光源収容部３５が設けられている。
【００２４】
光源収容部３５は、上述したＬＥＤ光源ユニット２０を収容するための凹所である。光源収容部３５の幅方向寸法及び長手方向寸法は、ＬＥＤ光源ユニット２０とほぼ同じ大きさに形成され、その高さ寸法は、ＬＥＤ素子２２が完全に収容される程度の深さを有している。光源収容部３５の開口部３４は、図５に示すように、アクリル製の透明な板材から構成された防埃カバー３６で塞がれている。また、図４に示すように、光源収容部３５の底壁部分から下面部３３を貫通する態様で、ＬＥＤ光源ユニット２０の配線２３を通すための貫通孔３５ａが形成されている。
【００２５】
また、図５に示すように、基台３０の下面部３３の両端部には、基台３０の長手方向に沿った凹部３７ａ，３７ｂが設けられている。この凹部３７ａ，３７ｂは、後述するパネル部１１の平板部材１２，１３の上端部１２ａ，１３ａがそれぞれ嵌合される部位である。なお、本実施の形態で適用する基台３０は、高さ３０ｍｍ程度、幅２８ｍｍ程度、長さ９００ｍｍ程度の大きさであり、基台３０の光源収容部３５は、幅１０ｍｍ程度、長さ７４０ｍｍ程度、深さ９ｍｍ程度の大きさを有したものである。
【００２６】
支柱４０は、後述する反射板５０を支持する角材であり、上述した基台３０の上面部３１の左右両端部、すなわち、開口部３４の両脇にそれぞれ立設されている。支柱４０は、アルミニウム又はアルミニウム合金から構成されている。この支柱４０は、図２に示すように、基台３０の上面部３１に穿設された孔３９にその下端部が嵌め込まれた状態でボルト締結されることにより（図４を参照）、基台３０の上面部３１に取付け・固定されている。なお、本実施の形態で適用する支柱４０は、１５ｍｍ角程度、高さ３０ｍｍ程度の大きさを有したものである。
【００２７】
支柱４０の上面部４１には、後述する反射板５０が支持される。図２に示すように、反射板５０における第１の反射面５１と第２の反射面５２は、その長手方向に直交する断面形状が略Ｖ字を成している。そのため、反射板５０を支持する支柱４０の上面部４１は、第１の反射面５１と第２の反射面５２の会合部分５５付近の形状と合致するＶ字状に形成されている。なお、図６における符号４２は、反射板５０を取付けるためのボルト孔である。
【００２８】
反射板５０は、上述したＬＥＤ光源ユニット２０からの出射光を反射させるための長尺状の部材であり、アルミニウム又はアルミニウム合金を押出し成形することによって形成されたものである。反射板５０の長手方向の寸法は、図２及び図３に示すように、基台３０の長手方向の寸法とほぼ同じ長さである。また、反射板５０の幅方向の寸法は、ＬＥＤ光源ユニット２０の幅方向の寸法よりも大きく形成されている。本実施の形態で適用する反射板５０は、幅方向の寸法が８０ｍｍ程度の大きさに形成されたものである。この反射板５０は、上述した支柱４０を介して、基台３０の上方位置であってＬＥＤ光源ユニット２０からの出射光の光路上に配設されている。
【００２９】
反射板５０は、図５に示すように、第１の反射面５１及び第２の反射面５２とを備えている。第１の反射面５１及び第２の反射面５２は、ＬＥＤ光源ユニット２０における中心軸線Ｌ（図３を参照）の上方位置で会合し、かつ、この会合部分５５から離れるにしたがって、ＬＥＤ素子２２の出射面を含む平面との間の距離Ｘ（図５を参照）が大きくなるように傾斜して配置されている。より具体的に説明すると、第１の反射面５１及び第２の反射面５２の長手方向に直交する断面形状は、図５に示すように、ＬＥＤ光源ユニット２０側に凸となる略Ｖ字状を成している。なお、本実施の形態では、第１の反射面５１と第２の反射面５２の上部に上面部５３を設けることで、反射板５０の強度を向上させている。しかしながら、必要な強度が確保される場合には、上面部５３を省略してもよい。
【００３０】
図示は省略するが、第１の反射面５１及び第２の反射面５２には、シボ加工やシボ塗装等の粗面加工が施されることにより、微細な凹凸（梨地面）が形成されている。第１の反射面５１及び第２の反射面５２に形成された微細な凹凸でＬＥＤ光源ユニット２０からの出射光を乱反射させることで、より広範囲な領域を照明することができるようになる。
【００３１】
上述した反射板５０は、第１の反射面５１及び第２の反射面５２の会合部分５５を支柱４０の上面部４１に当接させた状態でボルト締結されることにより（図４を参照）、支柱４０に対して取付け、固定される。なお、基台３０と反射板５０の左右両端部には、図４に示すようにそれぞれエンドカバー３８，５４が取付けられている。
【００３２】
パネル部１１は、図５に示すように、一対の平板部材１２，１３の間にスペーサ１４を介在させることによって形成された板材である。一対の平板部材１２，１３は、木材や合成樹脂等の材料から構成されている。このパネル部１１の幅寸法及び厚み寸法は、図２に示すように、照明装置１０における基台３０の長手方向寸法及び幅方向寸法とほぼ同じ長さを有している。また、パネル部１１の高さ寸法は、４５０ｍｍ程度である。パネル部１１の左右両端部には、図４に示すようにエンドカバー１５が取付けられており、パネル部１１と基台３０の左右両端部は略面一となっている。
【００３３】
上述した照明装置１０は、図５に示すように、基台３０の下面部３３に設けられた凹部３７ａ，３７ｂを、パネル部１１の一対の平板部材１２，１３の上端部１２ａ，１３ａに嵌合させた状態でボルト締結されることにより（図４を参照）、パネル部１１の上端部に沿って取付け・固定される。
【００３４】
図７は、机７０の側面図であり、図８は、図７において照明装置１０の部分を拡大して示した図である。図７及び図８で示される矢印は、ＬＥＤ光源ユニット２０から出射して第１の反射面５１及び第２の反射面５２で反射する光を概念的に示すものである。なお、図７では基台３０の形状を簡略化して示している。以下、図７及び図８を参照しながら、照明装置１０を備えた机７０の作用について説明する。なお、図示は省略するが、照明装置１０のスイッチは例えば天板７１上に設けられており、机７０の使用者がスイッチのＯＮ／ＯＦＦを操作できるようになっている。
【００３５】
使用者の操作により照明装置１０のスイッチが入ると、ＬＥＤ光源ユニット２０における基板２１上のすべてのＬＥＤ素子２２が点灯し、上方に向けて光が出射される。ＬＥＤ素子２２から出射された光のうち、第１反射面５１に入射した光は、照明パネル６０を挟んだ一方側の使用領域Ａ１に向けて反射し、この使用領域Ａ１及び使用領域Ａ１に配置された天板面Ｓを照明する。一方、ＬＥＤ素子２２から出射された光のうち、第２反射面５２に入射した光は、照明パネル６０を挟んだ他方側の使用領域Ａ２に向けて反射し、この使用領域Ａ２を照明する。ここで、使用領域Ａ１，Ａ２とは、使用者が作業等を行う空間であり、照明すべき領域を意味する。なお、図７に示される使用領域Ａ２は、例えば通路等床面Ｆへの照明や、パネル部１１の表面に貼られた掲示物（図示せず）への照明等のスペースとして利用することができる。
【００３６】
図８に示すように、ＬＥＤ素子２２から出射された光は、様々な入射角度で第１の反射面５１及び第２の反射面５２に入射するため、広範囲に広がる反射光が得られる。このとき、第１反射面５１及び第２反射面５２は、ＬＥＤ素子２２からのすべての出射光を反射させるのに十分な大きさ（幅方向寸法）を有している必要があるが、同時に、小型化の観点から必要以上に大きくならないように形成する必要がある。そのため、図８に一例として示すように、ＬＥＤ素子２２から出射される光のうち出射角度のもっとも大きい光が、第１の反射面５１及び第２の反射面５２における各端部の近傍で反射するように、第１の反射面５１及び第２の反射面５２の大きさを決めるのが好ましい。
【００３７】
図８に示すように、第１の反射面５１と第２の反射面５２の会合部分５５を含む水平面と、第１の反射面５１とのなす角度θ１（以下、第１反射面の傾斜角度θ１とよぶ）を大きくするほど、第１の反射面５１に入射する光の入射角度の取り得る範囲が広くなり、かつ、入射角度が大きくなるため、パネル部１１からより離れた位置を照らすことができる。同様に、会合部分５５を含む水平面と、第２の反射面５２とのなす角度θ２（以下、第２反射面の傾斜角度θ２とよぶ）を大きくするほど、第２の反射面５２に入射する光の入射角度の取り得る範囲が広くなり、かつ、入射角度が大きくなるため、パネル部１１からより離れた位置を照らすことができる。したがって、第１反射面５１及び第２反射面５２の傾斜角度θ１及びθ２は、使用領域Ａ１，Ａ２の大きさ（パネル部１１からの距離）、及び、照明する天板面Ｓの大きさに応じて決めるようにする。
【００３８】
ここで、第１の反射面５１及び第２の反射面５２を鏡面とした場合には、第１の反射面５１及び第２の反射面５２の各傾斜角度θ１，θ２を大きくするほど、パネル部１１の近傍に達する光の量が減り、パネル部１１の表面付近が暗くなると考えられる。本実施の形態では、上述したように第１の反射面５１及び第２の反射面５２に微細な凹凸加工を施し、この微細な凹凸で光を乱反射させているため、パネル部１１の表面付近を十分な明るさで照明することができる。
【００３９】
また、ＬＥＤ光源ユニット２０から反射板５０までの距離が短いほど、反射板５０の大きさを小さくすることができるが、第１の反射面５１及び第２の反射面５２にそれぞれ入射する光の入射角度の取り得る範囲が狭くなるため、照明範囲が狭くなると考えられる。反対に、ＬＥＤ光源ユニット２０から反射板５０までの距離が長いほど、第１の反射面５１及び第２の反射面５２にそれぞれ入射する光の入射角度の取り得る範囲が広くなるため、照明範囲が広くなると考えられるが、その分、反射板５０の大きさを大きくする必要がある。
【００４０】
このように、ＬＥＤ素子２２の出射角度、第１の反射面５１及び第２の反射面５２の傾斜角度θ１，θ２、ＬＥＤ光源ユニット２０から反射板５０までの距離、第１の反射面５１及び第２の反射面５２の表面仕上げを、照明する領域の大きさに応じて特定することで、照明装置本体を小型化するとともに、照明する領域に応じた効率的な配光を得ることができる。
【００４１】
なお、図７及び図８では、第１の反射面５１及び第２の反射面５２における傾斜角度θ１，θ２を同じ角度としているが、使用領域Ａ１と使用領域Ａ２の広さが異なる場合には、傾斜角度θ１，θ２を異ならせてもよい。例えば、使用領域Ａ１よりも、使用領域Ａ２の方が広い場合には、傾斜角度θ２を傾斜角度θ１よりも大きくする。
【００４２】
また、ＬＥＤ素子２２から出射される光自体は熱を発しないが、ＬＥＤ光源ユニット２０自体は多量の熱を発生するため、ＬＥＤ光源ユニット２０が発する熱を放熱する必要がある。本実施の形態では、上述したように、照明装置１０を構成する基台３０、支柱４０及び反射板５０を、熱伝動率の高いアルミ製の成形品で構成しているため、照明装置１０の全体が、大きな表面積を有する放熱板としての機能を有している。したがって、ＬＥＤ光源ユニット２０から発する熱を効果的に放熱させることができる。さらに、照明装置１０の熱がパネル部１１に伝動することにより、照明パネル６０全体で放熱させることができる。
【００４３】
なお、図１〜図８に示した照明装置１０は、基台３０を外部に露出させた状態でパネル部１１の上端部に取付けた構成としたが、図９に示すように、基台３０をパネル部１１の上端部内部に収容した構成としてもよい。図９は、基台３０をパネル部１１の上端部内部に収容した照明装置１０の一例を示す概略分解斜視図である。図９に示す例では、基台３０をパネル部１１の上端部内部に収容するとともに、その上部にカバー５６を取付け、カバー５６上に支柱４０を立設して反射板５０を支持させた構成としている。図９に示される基台３０は、パネル部１１における平板部材１２，１３の間の空間に完全に収容される程度の大きさに形成され、上部が開口した長尺状の箱体であり、開口部３４の内部にＬＥＤ光源ユニット２０が収容される。また、カバー５６は、パネル部１１の上端部開口全域を覆う程度の大きさを有したものであり、基台３０に収容されるＬＥＤ光源ユニット２０に対応する部位に開口部５７（貫通孔）が形成されるとともに、その左右両端部に支柱４０が立設されている。ＬＥＤ光源ユニット２０、支柱４０及び反射板５０の形状は図１〜図８で示した例と同じである。このように、基台３０をパネル部１１の上端部内部に収容した構成とすることで、照明パネル６０の見栄えをさらに向上させることができ、かつ、ＬＥＤ光源ユニット２０から発する熱をカバー５６、支柱４０、反射板５０に伝導させることで効果的に放熱させることができる。
【００４４】
（実施の形態２）
次に、本発明の実施の形態２に係る机について説明する。なお、実施の形態１と同一の構成要素については同一の符号を記し、その説明を省略する。図１０は、互いの後端部が対向して配置される２つの机７０Ａ，７０Ｂの天板の間に照明パネル６０を配置した例を示す概略斜視図であり、図１１は図１０の側面図である。図１０に示すように、実施の形態２では、照明パネル６０が設けられた机７０Ａに、照明パネル６０が設けられていないもう一つの机７０Ｂを対向させて配置している。机７０Ａは、図１で示した机７０と同じ構成を有したものであり、天板７１Ａの後側面部７６に、ボルト等の図示しない固定手段を用いて照明パネル６０の下端部が取付けられている。そして、図１１に示すように、照明パネル６０の下端部が天板７１Ａの後側面部７６と天板７１Ｂの後側面部に挟まれるように、机７０Ｂが配置されている。照明パネル６０から天板７１Ａの前端までの距離と、照明パネル６０から天板７１Ｂの前端までの距離は、ほぼ同じである。すなわち、使用領域Ａ１及びＡ２は、ほぼ同じ広さである。従って、照明装置１０の第１の反射面５１及び第２の反射面５２における傾斜角度θ１，θ２（図８を参照）は同じ角度としてある。
【００４５】
使用者の操作により照明装置１０のスイッチが入ると、照明装置１０におけるＬＥＤ光源ユニット２０が点灯し、上方に向けて光が出射される。第１反射面５１に入射した光は、図１１に示すように、照明パネル６０を挟んだ一方側の机７０Ａの使用領域Ａ１に向けて反射する。その結果、天板７１Ａの上方領域及び天板面Ｓ１の全体が十分な明るさで照明する。一方、第２反射面５２に入射した光は、照明パネル６０を挟んだ他方側の机７０Ｂの使用領域Ａ２に向けて反射する。その結果、天板７１Ｂの上方領域及び天板面Ｓ２の全体が十分な明るさで照明される。第１の反射面５１及び第２の反射面５２には微細な凹凸加工が施されているため、この微細な凹凸で光が乱反射することで、パネル部１１の表面近傍も十分な明るさで照明される。このように、２つの机７０Ａ，７０Ｂの天板の間に照明パネル６０を配置することで、両方の机７０Ａ，７０Ｂの使用領域に向けて効率よく光を反射させることができる。
【００４６】
（実施の形態３）
次に、本発明の実施の形態３に係る机について説明する。なお、上記実施の形態１，２と同一の構成要素については同一の符号を記し、その説明を省略する。図１２は、複数の使用者が対面した状態で使用される左右方向に長い形状を有する一対の天板７１Ｃ，７１Ｄの間に、照明パネル６０を配置した例を示す概略斜視図である。また、図１３は図１２の正面図、図１４は図１２の上面図である。実施の形態３では、同一寸法の２枚の天板７１Ｃ、７１Ｄの間に両側から挟まれる態様で４枚の照明パネル６０が並設されるとともに、天板７１Ｃ，７１Ｄの両側面にパーティション９０が設置されることで、天板７１Ｃ，７１Ｄ、照明パネル６０、パーティション９０とが一体に組み立てられている。４枚の照明パネル６０は、天板７１Ｃ及び天板７１Ｄの各後側面部（図示せず）に対して固定されている。また、天板７１Ｃ，７１Ｄは、図示しない取付金具を用いてパーティション９０に取付けられている。図１２〜図１４に示す例では、各天板７１Ｃ，７２Ｄに４つずつ、計８つの席が設けられている。
【００４７】
４つの照明パネル６０に設けられた各照明装置１０のスイッチは個別に設けられており、各照明装置１０を個別に点灯させることができるようになっている。図１２〜図１４に示す配置例においても、上記実施の形態１，２と同様に、各照明装置１０を点灯させることで、各照明パネル６０を挟んだ両側の天板面Ｓ１，Ｓ２を十分な明るさで照明することができる。
【００４８】
（実施の形態４）
次に、本発明の実施の形態４に係る机について説明する。なお、上記実施の形態１〜３と同一の構成要素については同一の符号を記し、その説明を省略する。図１５は、天板の形状が矩形以外の形状を有する机に照明パネル６０を配置した例を示す概略斜視図であり、図１６は図１５の平面図である。図１５に示す机７０Ｅは、天板７１Ｅ、一対の脚部７２Ｅ、７３Ｅ及び引出し７５Ｅを備えている。天板７１Ｅは、略Ｌ字状に屈曲した形状を有している。そして、天板７１Ｅの後縁部には、その屈曲した形状に沿って２枚の照明パネル６０が取付部材１７を介して取付けられている。
【００４９】
図１７は、図１５に示した机７０Ｅと同じ形状を有する机７１Ｆ，７１Ｇを対向させて配置した例を示す概略斜視図であり、図１８は図１７の上面図である。図１７及び図１８に示すように、天板の形状が矩形以外の形状をなす机であっても、各天板７１Ｅ，７１Ｆ，７１Ｇの後縁部に沿って照明パネル６０を設置することで、各机７０Ｅ，７０Ｆ，７０Ｇの使用領域に向けて効率よく光を反射させることができ、各天板面Ｓ１，Ｓ２，Ｓ３を十分な明るさで照明することができる。
【００５０】
（実施の形態５）
次に、本発明の実施の形態５に係る机について説明する。なお、上記実施の形態１〜４と同一の構成要素については同一の符号を記し、その説明を省略する。図１９は、実施の形態５のデスクユニット７０Ｈを示す概略斜視図であり、図２０は図１９の側面図である。なお、図２０ではパーティション９０を省略している。図１９に示されるデスクユニット７０Ｈは、１枚の天板７１Ｈを２つの領域に区分する態様で照明パネル６０を天板７１Ｈ上に設置したものである。より詳細に説明すると、このデスクユニット７０Ｈは、天板７１Ｈ上の中央位置、すなわち、天板７１Ｈの両端（各使用端）から等距離にある位置に照明パネル６０が取付けられるとともに、天板７１Ｈの両側面にパーティション９０が設置されることで、天板７１Ｈ、照明パネル６０、パーティション９０とが一体に組み立てられたユニットとして構成されている。天板７１Ｈは、図示しない取付金具を用いてパーティション９０に取付けられている。照明パネル６０は、図２０に示すように、取付部材１８を介してその下端部が天板７１Ｈ上に取付けられている。また、照明パネル６０の取付部位が外側から見えないように、照明パネル６０の下端部の両側にカバー７８が取付けられている。
【００５１】
照明装置１０を点灯させると、光源から出射され第１反射面５１に入射した光は、図２０に示すように照明パネル６０で仕切られた一方側の使用領域Ａ１に向けて反射し、一方側の天板面Ｓ１の全体を十分な明るさで照明する。一方、光源から出射され第２反射面５２に入射した光は、照明パネル６０で仕切られた他方側の使用領域Ａ２に向けて反射し、他方側の天板面Ｓ２の全体を十分な明るさで照明する。
【００５２】
図２１は、図１９に示したデスクユニット７０Ｈを複数並設した状態を示した斜視図である。複数のデスクユニット７０Ｈは、隣接するパーティション９０で連結されている。各デスクユニット７０Ｈの照明パネル６０に設けられた照明装置１０のスイッチは個別に設けられており、各デスクユニット７０Ｈにおける各照明装置１０を個別に点灯させることができる。
【００５３】
以上説明したように、上記実施の形態１〜５の机７０（７０Ａ〜７０Ｈ）によれば、机上に設置される照明装置１０光源として複数のＬＥＤ素子２２を線状に並列して実装したＬＥＤ光源ユニット２０を用いたことで、従来の照明装置ように蛍光管を用いる場合と比べて照明装置を小型化することができるとともに、様々な形状で構成することができる。その結果、机上に照明装置を設置する際の自由度を高めることができる。また、照明装置が小型化することで、照明装置が取付けられるパネル及び机の美観が損なわれるといったことがない。
【００５４】
また、上記実施の形態の机７０に設けられる照明装置１０は、ＬＥＤ光源ユニット２０からの出射光の光路上に配設された第１の反射面５１及び第２の反射面５２を備え、この第１の反射面５１及び第２の反射面５２は、ＬＥＤ光源ユニット２０における中心軸線Ｌの上方位置で会合し、かつ、会合部分５５から離れるにしたがって、ＬＥＤ素子２２の出射面を含む平面との間の距離が大きくなるように構成されている。その一例として、本実施の形態では、第１の反射面５１及び第２の反射面５２の断面形状を略Ｖ字状に形成している。このため、光源へ戻ってしまう反射光がほとんど無く、パネル部１１を挟んだ両側の領域に効率よく光を反射させることができ、両側の領域全体を十分な明るさで照明することが可能となる。
【００５５】
また、第１の反射面５１及び第２の反射面５２が机７０の使用者の視野に入るため、照明装置１０の実際の照度に比べ、感覚的な明るさをあわせ得ることができる。また、第１の反射面５１及び第２の反射面５２には上述した微細な凹凸加工が施されているため、第１の反射面５１及び第２の反射面５２が使用者の視野に入った場合に眩しさを抑えることができる。また、光源が複数配置されているため、机上面で目障りとなる単一方向の影ができることがない。
【００５６】
また、上記実施の形態の机７０（７０Ａ〜７０Ｈ）によれば、照明装置１０におけるＬＥＤ素子２２の出射角度、第１の反射面５１及び第２の反射面５２の傾斜角度θ１，θ２、ＬＥＤ光源ユニット２０から第１反射面５１及び第２反射面５２までの距離を、照明する領域の広さに応じて特定することで、照明する領域に応じた効率的な配光を得ることができる。
【００５７】
また、上記実施の形態の机７０（７０Ａ〜７０Ｈ）によれば、第１の反射面５１及び第２の反射面５２に、シボ加工等により微細な凹凸を形成し、この微細な凹凸によってＬＥＤ光源ユニット２０からの出射光を乱反射させるようにしたことで、パネル部１１の表面や天板面Ｓ等を幅広く照射することができる。
【００５８】
さらに、上記実施の形態の机７０（７０Ａ〜７０Ｈ）によれば、照明装置１０を構成する基台３０、支柱４０及び反射板５０を、熱伝動率の高いアルミ製の成形品で構成したことで、ＬＥＤ光源ユニット２０から発する熱を効果的に放熱させることができる。さらに、照明装置１０の熱がパネル部１１に伝動することにより、照明パネル６０全体で放熱させることができる。
【００５９】
加えて、上記実施の形態の机７０（７０Ａ〜７０Ｈ）によれば、支柱４０における反射板５０の支持面４１を、反射板５０の会合部分５５付近の形状に合致する形状としたことで、支柱４０が回転してしまうことなく、１本のボルトで固定することができる。また、反射板５０の第１反射面５１及び第２反射面５２の角度を安定させることができる。
【００６０】
なお、上記実施の形態１〜５では、ＬＥＤ光源ユニット２０として、複数のＬＥＤ素子２２を直線状に配置した例について説明したが、複数のＬＥＤ素子２２を曲線状に配置した構成としてもよい。例えば、水平方向の断面が曲線状を成すパネルの上端部に照明装置１０を設置する場合には、ＬＥＤ光源ユニット２０、基台３０及び反射板５０を、湾曲したパネルの形状に沿った形状に形成する。このように、複数のＬＥＤ素子２２からなる線状光源を用いることで、直線状且つ長さが決まっている蛍光灯を用いる場合と比べて、パネル等の設置対象物に照明装置１０を設置する際の自由度が高くなる。
【００６１】
また、上記実施の形態では、照明装置１０の反射板５０（第１の反射面５１及び第２の反射面５２）として、断面形状が略Ｖ字状に形成されたものを用いたが、これに限定されるものではなく、断面形状が略Ｕ字状等、他の形状の反射板を用いることも可能である。
【図面の簡単な説明】
【００６２】
【図１】実施の形態１に係る机の概略斜視図である。
【図２】図１に示した照明パネルの概略を示した分解斜視図ある。
【図３】図２に示した照明パネルに取付けられる照明装置の上面図である。
【図４】図２に示した照明パネルの上部部分を正面から見た図である。
【図５】図４のＡ−Ａ線断面図である。
【図６】図４の矢視Ｂ図である。
【図７】図１に示した机の側面図であり、反射板で反射する光の方向を概念的に示した図である。
【図８】図７に示した照明装置の部分を拡大して示した図である。
【図９】照明装置の他の形状例を示した分解斜視図である。
【図１０】実施の形態２に係る机を示す概略斜視図である。
【図１１】図１０の側面図である。
【図１２】実施の形態３に係る机を示す概略斜視図である。
【図１３】図１２の正面図である。
【図１４】図１２の上面図である。
【図１５】実施の形態４に係る机を示す概略斜視図である。
【図１６】図１５の上面図である。
【図１７】図１５に示した机を複数配置した状態を示した概略斜視図である。
【図１８】図１７の上面図である。
【図１９】実施の形態５に係る机を示す概略斜視図である。
【図２０】図１９の側面図である。
【図２１】図１９に示した机を複数配置した状態を示した概略斜視図である。
【符号の説明】
【００６３】
１０    照明装置
１１    パネル部
１２，１３    平板部材
１２ａ，１３ａ    平板部材の上端部
１４    スペーサ
１５    エンドカバー
１７，１８    取付部材
２０    ＬＥＤ光源ユニット
２１    基板
２２    ＬＥＤ素子
２３    配線
３０    基台
３１    上面部
３２ａ，３２ｂ    側面部
３３    下面部
３４    開口部
３５    光源収容部
３６    防埃カバー
３７ａ，３７ｂ    凹部
３８    エンドカバー
３９    孔
４０    支柱
４１    （支柱の）上面部
４２    ボルト孔
５０    反射板
５１    第１の反射面
５２    第２の反射面
５３    （反射板）の上面
５４    エンドカバー
５５    会合部分
５６    カバー
５７    （カバーの）開口部
６０    照明パネル
７０，７０Ａ，７０Ｂ，７０Ｃ，７０Ｄ，７０Ｅ，７０Ｆ，７０Ｇ    机
７０Ｈ  デスクユニット
７１，７１Ａ，７１Ｂ，７１Ｃ，７１Ｄ，７１Ｅ，７１Ｆ，７１Ｇ，７１Ｈ    天板
７２，７２Ｂ  脚部
７３，７３Ａ  脚部
７５    引出し
７６    （天板の）後側面部
７８    （照明パネル下端部の）カバー
８０    椅子
【図１】
2010187712.tif 000003
【図２】
2010187712.tif 000004
【図３】
2010187712.tif 000005
【図４】
2010187712.tif 000006
【図５】
2010187712.tif 000007
【図６】
2010187712.tif 000008
【図７】
2010187712.tif 000009
【図８】
2010187712.tif 000010
【図９】
2010187712.tif 000011
【図１０】
2010187712.tif 000012
【図１１】
2010187712.tif 000013
【図１２】
2010187712.tif 000014
【図１３】
2010187712.tif 000015
【図１４】
2010187712.tif 000016
【図１５】
2010187712.tif 000017
【図１６】
2010187712.tif 000018
【図１７】
2010187712.tif 000019
【図１８】
2010187712.tif 000020
【図１９】
2010187712.tif 000021
【図２０】
2010187712.tif 000022
【図２１】
2010187712.tif 000023